(57)【要約】【課題】デイタイムランニングランプ専用の車載スペースを必要とすることなく、かつ低コストで、車両に搭載することができるデイタイムランニングランプを提供する。【解決手段】デイタイムランニングランプ５０を、ヘッドランプ用のリフレクタユニット２０に組み込まれた灯具ユニットとして構成し、専用の車載スペースを不要とする。また、このデイタイムランニングランプ５０を、リフレクタユニット２０のリフレクタ２４を前後方向に貫通するようにして延びる光軸Ａｘ２上に、該リフレクタ２４の前方側において前方へ向けて配置された発光素子５２と、その前方側において、光軸Ａｘ２上に配置されたメインレンズ５４と、その後面周縁部から後方へ向けて延びるようにしてリング状に形成され、発光素子５２からの光を、リフレクタ２４の反射面２４ａに入射させるように偏向出射させるサブレンズ５６とを備えた構成とし、これにより大きい発光面積を確保する。【選択図】図２
2009211980.tif 000002
【特許請求の範囲】
【請求項１】
昼間走行時に車両前方へ向けて光照射を行うように構成されたデイタイムランニングランプにおいて、
車両前後方向に延びる第１の光軸上に配置された光源と、この光源からの光を前方へ向けて反射させるリフレクタと、を備えてなるヘッドランプ用のリフレクタユニットに組み込まれた灯具ユニットとして構成され、
上記リフレクタを前後方向に貫通するようにして延びる第２の光軸上に、該リフレクタの前方側において前方へ向けて配置された発光素子と、
この発光素子の前方側において、上記第２の光軸上に配置されたメインレンズと、
このメインレンズの後面周縁部から後方へ向けて延びるようにしてリング状に形成され、上記発光素子からの光を上記リフレクタの反射面に入射させるように偏向出射させるサブレンズと、を備えてなることを特徴とするデイタイムランニングランプ。
【請求項２】
上記サブレンズから偏向出射した上記発光素子からの光の光線束内に、上記光源の発光中心が含まれるように構成されている、ことを特徴とする請求項１記載のデイタイムランニングランプ。
【請求項３】
上記サブレンズに、上記発光素子からの光を、少なくとも前後方向に拡散させるための表面処理が施されている、ことを特徴とする請求項１または２記載のデイタイムランニングランプ。
【請求項４】
上記第２の光軸が、上記第１の光軸の略鉛直下方に位置している、ことを特徴とする請求項１〜３いずれか記載のデイタイムランニングランプ。
【請求項５】
請求項１〜４いずれか記載のデイタイムランニングランプが組み込まれてなる、ことを特徴とする車両用前照灯。
【発明の詳細な説明】
【技術分野】
【０００１】
本願発明は、昼間走行時に車両前方へ向けて光照射を行うように構成されたデイタイムランニングランプ、および、このデイタイムランニングランプが組み込まれた車両用前照灯に関するものである。
【背景技術】
【０００２】
デイタイムランニングランプは、車両の走行安全性を高めるため、昼間走行時に車両前方へ向けて光照射を行い、これにより対向車ドライバや歩行者等に自車の存在を知らせるように構成された灯具である。
【０００３】
このデイタイムランニングランプは、例えば「特許文献１」に記載されているように、ヘッドランプ（すなわち車両用前照灯）とは別の独立した灯具として、例えば車両のフロントバンパ等に取り付けられた状態で用いられるようになっている。
【０００４】
【特許文献１】特開２００６−１６４９０９号公報
【発明の開示】
【発明が解決しようとする課題】
【０００５】
上記従来のデイタイムランニングランプは、ヘッドランプとは別の独立した灯具として構成されているので、これを搭載するための専用の車載スペースが必要となり、また製品コストおよび取付コストが高くついてしまう、という問題がある。
【０００６】
本願発明は、このような事情に鑑みてなされたものであって、デイタイムランニングランプ専用の車載スペースを必要とすることなく、かつ低コストで、車両に搭載することができるデイタイムランニングランプ、および、このデイタイムランニングランプが組み込まれた車両用前照灯を提供することを目的とするものである。
【課題を解決するための手段】
【０００７】
本願発明は、デイタイムランニングランプを、ヘッドランプ用のリフレクタユニットに灯具ユニットとして組み込むようにした上で、その構成に工夫を施すことにより、上記目的達成を図るようにしたものである。
【０００８】
すなわち、本願発明に係るデイタイムランニングランプは、
昼間走行時に車両前方へ向けて光照射を行うように構成されたデイタイムランニングランプにおいて、
車両前後方向に延びる第１の光軸上に配置された光源と、この光源からの光を前方へ向けて反射させるリフレクタと、を備えてなるヘッドランプ用のリフレクタユニットに組み込まれた灯具ユニットとして構成され、
上記リフレクタを前後方向に貫通するようにして延びる第２の光軸上に、該リフレクタの前方側において前方へ向けて配置された発光素子と、
この発光素子の前方側において、上記第２の光軸上に配置されたメインレンズと、
このメインレンズの後面周縁部から後方へ向けて延びるようにしてリング状に形成され、上記発光素子からの光を上記リフレクタの反射面に入射させるように偏向出射させるサブレンズと、を備えてなることを特徴とするものである。
【０００９】
上記「リフレクタユニット」は、ヘッドランプ用のリフレクタユニットであれば、ハイビーム用配光パターンを形成するためのリフレクタユニットであってもよいし、ロービーム用配光パターンを形成するためのリフレクタユニットであってもよい。
【００１０】
上記「第２の光軸」は、リフレクタを前後方向に貫通するようにして延びる軸線であれば、必ずしも第１の光軸と平行な軸線でなくてもよい。
【００１１】
上記「発光素子」の種類は特に限定されるものではなく、例えば、発光ダイオードやレーザダイオード等が採用可能である。また、この「発光素子」の発光チップの形状や大きさは特に限定されるものではない。
【００１２】
上記「メインレンズ」は、発光素子の前方側において、第２の光軸上に配置されたものであれば、その具体的なレンズ形状や発光素子からの距離等については特に限定されるものではない。
【００１３】
上記「サブレンズ」は、メインレンズの後面周縁部から後方へ向けて延びるようにしてリング状に形成されたものであれば、メインレンズと一体で形成されていてもよいし別体で形成されていてもよい。また、この「サブレンズ」は、発光素子からの光を、リフレクタの反射面に入射させるように偏向出射させる構成となっていれば、その具体的なレンズ形状については特に限定されるものではない。
【発明の効果】
【００１４】
上記構成に示すように、本願発明に係るデイタイムランニングランプは、ヘッドランプ用のリフレクタユニットに組み込まれた灯具ユニットとして構成されているので、従来のようにヘッドランプとは別にデイタイムランニングランプを搭載するための専用の車載スペースを不要とすることができる。
【００１５】
その上で、本願発明に係るデイタイムランニングランプは、上記リフレクタユニットのリフレクタを前後方向に貫通するようにして延びる第２の光軸上に、該リフレクタの前方側において前方へ向けて配置された発光素子と、この発光素子の前方側において、第２の光軸上に配置されたメインレンズと、このメインレンズの後面周縁部から後方へ向けて延びるようにしてリング状に形成され、発光素子からの光を、リフレクタの反射面に入射させるように偏向出射させるサブレンズとを備えた構成となっているので、次のような作用効果を得ることができる。
【００１６】
すなわち、メインレンズにより、発光素子からの光を適宜偏向制御して出射させることにより、対向車ドライバや歩行者等に対して自車の存在を知らせるのに必要な角度範囲にわたって光照射を行うことができる。
【００１７】
その際、このメインレンズからの出射光のみにより、デイタイムランニングランプとしての光照射を行うようにすると、メインレンズの前方投影面積が小さい場合には、その輝度が高くなってしまう。一方、この輝度を、対向車ドライバや歩行者等にグレアを与えてしまうおそれがない程度まで低くするためには、メインレンズの前方投影面積をかなり大きくする必要がある。しかしながら、このようにした場合には、リフレクタユニットにおけるデイタイムランニングランプの占有スペースが大きくなってしまうので、リフレクタユニットの機能に支障を生じてしまうこととなる。
【００１８】
その点、本願発明においては、リング状に形成されたサブレンズにより、発光素子からの光を偏向出射させてリフレクタの反射面に入射させるようになっているので、このリフレクタの反射面からの反射光とメインレンズからの出射光とにより、デイタイムランニングランプとして要求される光照射を行うようにすることができる。そして、このようにした場合、デイタイムランニングランプとしての発光面は、メインレンズとリフレクタの反射面の一部とで構成されることとなるので、かなり大きい発光面積を確保することができる。したがって、メインレンズの前方投影面積を小さくしても、その輝度が高くなりすぎないようにした上で、デイタイムランニングランプとしての機能を確保することができる。またこれにより、リフレクタユニットにおけるデイタイムランニングランプの占有スペースを小さく抑えることができるので、リフレクタユニットの機能に支障を生じてしまわないようにすることができる。
【００１９】
このように本願発明によれば、デイタイムランニングランプ専用の車載スペースを必要とすることなく、かつ低コストで、車両に搭載することができるデイタイムランニングランプを得ることができる。
【００２０】
上記構成において、サブレンズから偏向出射した発光素子からの光の光線束内に、ヘッドランプ用のリフレクタユニットにおける光源の発光中心が含まれるようにすれば、次のような作用効果を得ることができる。
【００２１】
すなわち、ヘッドランプ用のリフレクタユニットにおいて、その光源からの光に対して行われるリフレクタによる反射制御は、第１の光軸が延びる車両前後方向を基準として行われるので、発光素子からの光の一部が光源の発光中心を通るようにしておくことにより、リフレクタによる反射制御が、発光素子からの光の一部に対しても、光源からの光に対するのと同様にして行われるようにすることができる。そしてこれにより、リフレクタで反射した発光素子からの光により形成される配光パターンを、車両正面方向を中心とする配光パターンして形成することが容易に可能となり、これをデイタイムランニングランプの配光パターンに適したものとすることができる。
【００２２】
上記構成において、サブレンズに、発光素子からの光を、少なくとも前後方向に拡散させるための表面処理を施しておくようにすれば、サブレンズから偏向出射した発光素子からの光を、リフレクタの反射面に対してより広範囲にわたって入射させることができ、これにより一層大きい発光面積を確保することができる。
【００２３】
この場合における「少なくとも前後方向に拡散させるための表面処理」の種類は特に限定されるものではなく、例えばシボ加工やフロスト加工等が採用可能である。
【００２４】
上記構成において、第２の光軸が、第１の光軸の略鉛直下方に位置する構成とすれば、ヘッドランプ用のリフレクタユニットの光源で発生した熱により、デイタイムランニングランプの発光素子の特性が変化してしまうおそれをなくすことができる。
【発明を実施するための最良の形態】
【００２５】
以下、図面を用いて、本願発明の実施の形態について説明する。
【００２６】
図１は、本願発明の一実施形態に係るデイタイムランニングランプ５０が組み込まれたリフレクタユニット２０を備えたヘッドランプ１０を示す正面図である。また、図２は、そのリフレクタユニット２０を示す、図１のII−II線断面図である。
【００２７】
これらの図に示すように、ヘッドランプ１０は、ハイビーム用ヘッドランプであって、ランプボディ１２と素通し状の透明カバー１４とで形成される灯室内に、リフレクタユニット２０が光軸調整可能に収容された構成となっている。
【００２８】
リフレクタユニット２０は、車両前後方向に延びる第１の光軸Ａｘ１上に配置された光源２２ａと、この光源２２ａからの光を前方へ向けて反射させるリフレクタ２４とを備えてなり、光軸調整が完了した段階では、その光軸Ａｘ１が車両前後方向と一致するようになっている。
【００２９】
光源２２ａは、ハロゲンバルブ２２のフィラメントであって、光軸Ａｘ１に沿って延びる線分光源として構成されている。
【００３０】
リフレクタ２４は、光軸Ａｘ１上における光源２２ａの発光中心Ａを焦点とするとともに光軸Ａｘ１を中心軸とする回転放物面上に複数の反射素子２４ｓが縦縞状に形成された反射面２４ａを有している。そして、このリフレクタ２４は、その反射面２４ａの各反射素子２４ｓにおいて、光源２２ａからの光を、上下方向に関しては光軸Ａｘ１と平行な光として反射させるとともに、水平方向に関しては光軸Ａｘ１の左右両側へ拡散する光として反射させ、これにより横長のハイビーム用配光パターンを形成するようになっている。
【００３１】
なお、このリフレクタ２４においては、その反射面２４ａの後頂部に形成されたバルブ挿着孔２４ｂに、ハロゲンバルブ２２が挿入固定された構成となっている。また、このリフレクタ２４の反射面２４ａは、その外周縁形状が円形形状に設定されており、その外径はφ１５０ｍｍ程度の大きさに設定されている。
【００３２】
デイタイムランニングランプ５０は、光軸Ａｘ１の下方においてリフレクタユニット２０に組み込まれた小型の灯具ユニットとして構成されており、昼間走行時に車両前方へ向けて光照射を行うようになっている。
【００３３】
このデイタイムランニングランプ５０は、リフレクタ２４を前後方向に貫通するようにして延びる第２の光軸Ａｘ２上に、該リフレクタ２４の前方側において前方へ向けて配置された発光素子５２と、この発光素子５２の前方側において、光軸Ａｘ２上に配置されたメインレンズ５４と、このメインレンズ５４の後面周縁部から後方へ向けて延びるようにしてリング状に形成されたサブレンズ５６と、これらを支持するヒートシンク５８とからなっている。
【００３４】
光軸Ａｘ２は、光軸Ａｘ１の鉛直下方において、該光軸Ａｘ１と平行に延びる軸線として設定されている。
【００３５】
発光素子５２は、白色発光ダイオードであって、横長矩形状（具体的には、縦１ｍｍ横４ｍｍ程度の長方形）の発光面を有する発光チップ５２ａと、この発光チップ５２ａを支持する基板５２ｂとからなっている。その際、この発光素子５２の発光チップ５２ａは、その発光面を覆うように形成された薄膜により封止されている。そして、この発光素子５２は、その発光チップ５２ａの発光中心を、光軸Ａｘ２上に位置させるとともに、前後方向に関して光源２２ａの発光中心Ａとリフレクタ２４の前端縁との間（具体的には両者の略中央）に位置させるようにして、ヒートシンク５８に位置決め固定されている。
【００３６】
メインレンズ５４とサブレンズ５６とは、ガラスレンズとして互いに一体で形成されており、その最外径はφ２６ｍｍ程度の大きさに設定されている。そして、これらメインレンズ５４およびサブレンズ５６は、サブレンズ５６の後端面においてヒートシンク５８に位置決め固定されている。
【００３７】
メインレンズ５４は、前方側表面が凸面で後方側表面が平面の平凸レンズであって、その焦点距離は１０ｍｍ程度の値に設定されており、そのレンズ厚も１０ｍｍ程度の値に設定されている。このメインレンズ５４の後方側表面から発光チップ５２ａの発光面までの距離は、５ｍｍ程度の値に設定されている。したがって、発光チップ５２ａは、メインレンズ５４の後側焦点よりも前方側に位置することとなる。そしてこれにより、メインレンズ５４は、発光チップ５２ａからの光を、上下方向および左右方向にある程度拡散する光（具体的には光軸Ａｘ２からの拡散角度が２０〜２５°程度の拡散光）として出射させるようになっている。
【００３８】
サブレンズ５６は、その内周面が、光軸Ａｘ２を中心とする円筒面で構成されており、その外周面が、光軸Ａｘ２上における発光チップ５２ａの発光中心近傍の点を中心とする球面で構成されている。そして、このサブレンズ５６は、発光チップ５２ａからの光を偏向出射させて、リフレクタ２４の反射面２４ａに入射させるようになっている。
【００３９】
具体的には、このサブレンズ５６は、発光チップ５２ａからの光を、サブレンズ５６が存在しないと仮定した場合に発光チップ５２ａからの光が進む方向よりも後方側へ偏向させるとともに、前後方向に僅かに拡散させるようにして、出射させる構成となっている。その際、このサブレンズ５６は、その前端縁近傍部位からの出射光を、光軸Ａｘ２と直交する平面に対してやや前方へ向かう光とするとともに、その後端縁近傍部位からの出射光を、光軸Ａｘ２と直交する平面に対してやや後方へ向かう光とするようになっている。そして、このサブレンズ５６からの偏向出射光は、該サブレンズ５６が、光源２２ａの発光中心Ａとリフレクタ２４の前端縁との間に位置していることから、リフレクタ２４の反射面２４ａにおける外周縁近傍領域に入射することとなる。
【００４０】
この反射面２４ａの上端縁近傍領域に入射した発光チップ５２ａからの光は、下向きの光として反射し、その下端縁近傍領域に入射した発光チップ５２ａからの光は、上向きの光として反射し、その左端縁近傍領域に入射した発光チップ５２ａからの光は、右向きの光として反射し、その右端縁近傍領域に入射した発光チップ５２ａからの光は、左向きの光として反射することとなる。その際、この反射面２４ａにおける各領域からの反射光は、該反射面２４ａに複数の反射素子２４ｓが形成されていることから、左右両側に拡散する光となる。
【００４１】
ヒートシンク５８は、リフレクタ２４における光軸Ａｘ１の下方領域に形成された開口部２４ｃに挿入固定されており、その前端面において発光素子５２およびサブレンズ５６を位置決め支持するようになっている。なお、このヒートシンク５８の後端面には複数の放熱フィン５８ａが形成されている。
【００４２】
図３は、デイタイムランニングランプ５０が点灯した状態にあるリフレクタユニット２０を示す正面図である。
【００４３】
同図に示すように、デイタイムランニングランプ５０が点灯すると、その発光素子５２の発光チップ５２ａの発光により、そのメインレンズ５４が、図中網線で示すように発光領域Ｚ１として明るく光って見えるとともに、リフレクタ２４の反射面２４ａにおける外周縁近傍領域が、図中網線で示すよう発光領域Ｚ２として光って見える。その際、発光領域Ｚ２は、リフレクタ２４の反射面２４ａにおける下端縁寄りの部分が狭く、その上端縁寄りの部分が広い上下不均一な環状領域となる。
【００４４】
図４（ａ）は、本実施形態に係るデイタイムランニングランプ５０から前方へ照射される光により、灯具前方１０ｍの位置に配置された仮想鉛直スクリーン上に形成される配光パターンＰ１を透視的に示す図である。
【００４５】
この配光パターンＰ１は、同図（ｂ）に示す配光パターンＰＡと同図（ｃ）に示す配光パターンＰＢとの合成配光パターンとして形成されている。
【００４６】
配光パターンＰＡは、発光素子５２の発光チップ５２ａから出射して、メインレンズ５４を介して前方へ出射した光により形成される配光パターンである。
【００４７】
この配光パターンＰＡは、灯具正面方向の消点であるＨ−Ｖを中心にして、略円形状に拡がる配光パターンとして形成されており、その最高光度は８００ｃｄ程度の値に設定されている。
【００４８】
この配光パターンＰＡが、Ｈ−Ｖを中心にして、略円形状に拡がる配光パターンとして形成されるのは、発光チップ５２ａがメインレンズ５４の後側焦点よりも前方側に位置しており、該発光チップ５２ａからの光がメインレンズ５４によって上下方向および左右方向に均等に拡散する拡散光として出射することによるものである。その際、この配光パターンＰＡの中心領域が、やや横長に形成されるのは、発光チップ５２ａが横長矩形状の発光面を有していることによるものである。
【００４９】
なお、この配光パターンＰＡにおいて、その輪郭を示す曲線と略同心状に形成された複数の曲線は等光度曲線であって、該配光パターンＰＡがその外周縁から中心へ向けて徐々に明るくなることを示している。
【００５０】
一方、配光パターンＰＢは、発光素子５２の発光チップ５２ａから出射して、サブレンズ５６を介してリフレクタ２４の反射面２４ａに入射した後、この反射面２４ａで前方へ向けて反射した光により形成される配光パターンである。
【００５１】
この配光パターンＰＢは、Ｈ−Ｖを中心にして、やや横長の略逆Ａ字形の配光パターンとして形成されている。その際、この配光パターンＰＢは、Ｈ−Ｖを中心とする略逆三角形の領域が中抜けとなっており、配光パターンＰＡの周縁部と重複する配光パターンとして形成されている。
【００５２】
この配光パターンＰＢが、Ｈ−Ｖを中心とする略逆Ａ字形の配光パターンとして形成されるのは、デイタイムランニングランプ５０のサブレンズ５６が、光軸Ａｘ１の鉛直下方において光源２２ａの発光中心Ａよりも前方側に配置されるとともに、このサブレンズ５６からの偏向出射光が、リフレクタ２４の反射面２４ａにおける外周縁近傍領域に入射することによるものである。その際、この配光パターンＰＢが、やや横長の配光パターンとして形成されるのは、発光チップ５２ａが横長矩形状の発光面を有しているとともに、リフレクタ２４の反射面２４ａに複数の反射素子２４ｓが形成されていることによるものである。
【００５３】
なお、この配光パターンＰＢは、配光パターンＰＡの周縁部の明るさと同程度の明るさの配光パターンとして形成されている。
【００５４】
次に、本実施形態の作用効果について説明する。
【００５５】
本実施形態に係るデイタイムランニングランプ５０は、ヘッドランプ１０用のリフレクタユニット２０に組み込まれた灯具ユニットとして構成されているので、ヘッドランプ１０とは別にデイタイムランニングランプ５０を搭載するための専用の車載スペースを不要とすることができる。
【００５６】
その上で、本実施形態に係るデイタイムランニングランプ５０は、リフレクタユニット２０のリフレクタ２４を前後方向に貫通するようにして延びる光軸Ａｘ２上に、該リフレクタ２４の前方側において前方へ向けて配置された発光素子５２と、この発光素子５２の前方側において、光軸Ａｘ２上に配置されたメインレンズ５４と、このメインレンズ５４の後面周縁部から後方へ向けて延びるようにしてリング状に形成され、発光素子５２からの光を、リフレクタ２４の反射面２４ａに入射させるように偏向出射させるサブレンズ５６とを備えた構成となっているので、次のような作用効果を得ることができる。
【００５７】
すなわち、メインレンズ５４により、発光素子５２からの光を適宜偏向制御して出射させることにより、対向車ドライバや歩行者等に対して自車の存在を知らせるのに必要な角度範囲にわたって光照射を行うことができる。
【００５８】
その際、このメインレンズ５４からの出射光のみにより、デイタイムランニングランプ５０としての光照射を行うようにすると、このメインレンズ５４の前方投影面積は小さいので、その輝度が高くなってしまう。一方、この輝度を、対向車ドライバや歩行者等にグレアを与えてしまうおそれがない程度まで低くするためには、メインレンズ５４の前方投影面積を本実施形態の場合よりもかなり大きくする必要がある。しかしながら、このようにした場合には、リフレクタユニット２０におけるデイタイムランニングランプ５０の占有スペースが大きくなってしまうので、リフレクタユニット２０の機能に支障を生じてしまうこととなる。
【００５９】
その点、本実施形態においては、リング状に形成されたサブレンズ５６により、発光素子５２からの光を偏向出射させてリフレクタ２４の反射面２４ａに入射させるようになっているので、このリフレクタ２４の反射面２４ａからの反射光とメインレンズ５４からの出射光とにより、デイタイムランニングランプ５０として要求される光照射を行うようにすることができる。そして、このようにした場合、デイタイムランニングランプ５０としての発光面は、メインレンズ５４の発光領域Ｚ１とリフレクタ２４の反射面２４ａの一部の発光領域Ｚ２とで構成されることとなるので、かなり大きい発光面積を確保することができる。したがって、メインレンズ５４の前方投影面積を小さくしても、その輝度が高くなりすぎないようにした上で、デイタイムランニングランプ５０としての機能を確保することができる。またこれにより、リフレクタユニット２０におけるデイタイムランニングランプ５０の占有スペースを小さく抑えることができるので、リフレクタユニット２０の機能に支障を生じてしまわないようにすることができる。
【００６０】
このように本実施形態によれば、デイタイムランニングランプ専用の車載スペースを必要とすることなく、かつ低コストで、車両に搭載することができるデイタイムランニングランプ５０を得ることができる。
【００６１】
その際、本実施形態においては、デイタイムランニングランプ５０の光軸Ａｘ２が、リフレクタユニット２０の光軸Ａｘ１の鉛直下方に位置しているので、リフレクタユニット２０の光源２２ａで発生した熱により、デイタイムランニングランプ５０の発光素子５２の特性が変化してしまうおそれをなくすことができる。
【００６２】
なお、上記実施形態においては、メインレンズ５４とサブレンズ５６とは、ガラスレンズとして互いに一体で形成されているものとして説明したが、これらをガラスレンズとする代わりに樹脂レンズとすることも可能であり、また、これらを別体で形成して接着等により互いに固定するようにしてもよい。
【００６３】
また、上記実施形態においては、発光素子５２の発光チップ５２ａが、横長矩形状の発光面を有しているものとして説明したが、これ以外の形状（例えば正方形等）の発光面を有する構成とすることももちろん可能である。
【００６４】
さらに、上記実施形態においては、リフレクタ２４の反射面２４ａが円形の外周縁形状を有しており、その外径がφ１５０ｍｍ程度の大きさに設定されているものとして説明したが、これ以外の外周縁形状および外径寸法を有する構成とすることももちろん可能である。
【００６５】
なお、上記実施形態においては、リフレクタユニット２０の光源２２ａが、ハロゲンバルブ２２のフィラメントであるものとして説明したが、放電バルブの発光部等である場合においても、上記実施形態の場合と同様の作用効果を得ることができる。
【００６６】
また、上記実施形態においては、デイタイムランニングランプ５０が、ハイビーム用のリフレクタユニット２０に組み込まれる場合について説明したが、ロービーム用のリフレクタユニットに組み込まれる場合においても、上記実施形態の場合と同様の作用効果を得ることができる。
【００６７】
次に、上記実施形態の変形例について説明する。
【００６８】
まず、上記実施形態の第１変形例について説明する。
【００６９】
図５および６は、本変形例に係るデイタイムランニングランプ１５０が組み込まれたリフレクタユニット１２０を示す、図２および３と同様の図である。
【００７０】
これらの図に示すように、本変形例に係るデイタイムランニングランプ１５０の基本的な構成は上記実施形態の場合と同様であるが、そのヒートシンク１５８の構成およびリフレクタユニット１２０への組込み位置が上記実施形態の場合と異なっている。また、本変形例に係るリフレクタユニット１２０は、その基本的な構成については上記実施形態のリフレクタユニット２０と同様であるが、そのリフレクタ１２４の構成が上記実施形態のリフレクタ２４と一部異なっている。
【００７１】
なお、本変形例に係るデイタイムランニングランプ１５０およびリフレクタユニット１２０において、上記実施形態に係るデイタイムランニングランプ５０およびリフレクタユニット２０と同一の部分には、同一の参照符号を付してその説明は省略する。
【００７２】
本変形例に係るデイタイムランニングランプ１５０は、その発光素子５２における発光チップ５２ａの発光中心を、前後方向に関して光源２２ａの発光中心Ａと略同じ位置に位置させるようにして配置されている。これに伴い、このデイタイムランニングランプ１５０のヒートシンク１５８は、上記実施形態のヒートシンク５８よりも前後長が短くなっている。このデイタイムランニングランプ１５０におけるそれ以外の構成は、上記実施形態のデイタイムランニングランプ５０の場合と同様である。
【００７３】
本変形例に係るリフレクタユニット１２０は、そのリフレクタ１２４の反射面２４ａにおけるデイタイムランニングランプ１５０の下方に位置する部分に、反射面２４ａとは異なる反射面１２４ｄが形成されている。これは、反射面２４ａにおけるデイタイムランニングランプ１５０の下方に位置する部分には、光源２２ａからの光がほとんど入射しないことから、この部分をデイタイムランニングランプ１５０専用の反射面１２４ｄとして有効に利用するようにしたものである。なお、リフレクタ１２４における反射面２４ａの構成自体は、上記実施形態の場合と全く同様である。
【００７４】
本変形例に係るデイタイムランニングランプ１５０の発光素子５２は、その発光チップ５２ａが、前後方向に関して光源２２ａの発光中心Ａと略同じ位置にあり、かつ、この発光素子５２のやや前方に位置するサブレンズ５６が、その前端縁近傍部位からの出射光を、光軸Ａｘ２と直交する平面に対してやや前方へ向かう光とするとともに、その後端縁近傍部位からの出射光を、光軸Ａｘ２と直交する平面に対してやや後方へ向かう光とするようになっていることから、サブレンズ５６からリフレクタ１２４の反射面２４ａへ向けて偏向出射した発光チップ５２ａからの光の光線束内には、リフレクタユニット２０における光源２２ａの発光中心Ａが含まれることとなる。そして、このサブレンズ５６からの偏向出射光は、リフレクタ１２４の反射面２４ａにおける外周縁近傍領域よりも内周側の領域に入射し、これにより図６に網線で示す領域が発光領域Ｚ３として光って見えることとなる。
【００７５】
そしてこれにより、サブレンズ５６から偏向出射して反射面２４ａに入射した発光チップ５２ａからの光は、この反射面２４ａにおいて、上下方向に関してはやや下向きで上下両側に拡散するとともに水平方向に関しては左右両側に拡散する拡散光として反射することとなる。その際、この反射面２４ａにおける各領域からの反射光は、該反射面２４ａに複数の反射素子２４ｓが形成されていることから、左右両側により大きく拡散する光となる。
【００７６】
一方、リフレクタ１２４の反射面１２４ｄは、発光チップ５２ａの発光中心を第１焦点とするとともに該反射面１２４ｄの前方に位置する点を第２焦点とする回転楕円面で構成されている。これにより、サブレンズ５６から偏向出射して、この反射面１２４ｄに入射した発光チップ５２ａからの光は、上下方向に関してはやや上向きで上下両側に拡散するとともに水平方向に関しては左右両側に拡散する拡散光として反射することとなる。そして、この反射面１２４ｄは、図６に網線で示す領域が発光領域Ｚ４として光って見えることとなる。
【００７７】
図７（ａ）は、本変形例に係るデイタイムランニングランプ１５０から前方へ照射される光により、灯具前方１０ｍの位置に配置された仮想鉛直スクリーン上に形成される配光パターンＰ２を透視的に示す図である。
【００７８】
この配光パターンＰ２は、同図（ｂ）に示す配光パターンＰＡと同図（ｃ）に示す２つの配光パターンＰＣ、ＰＤとの合成配光パターンとして形成されている。
【００７９】
配光パターンＰＡに関しては、上記実施形態の配光パターンＰ１における配光パターンＰＡと全く同様である。
【００８０】
配光パターンＰＣは、発光素子５２の発光チップ５２ａから出射して、サブレンズ５６を介してリフレクタ１２４の反射面２４ａに入射した後、この反射面２４ａで前方へ向けて反射した光により形成される配光パターンである。
【００８１】
この配光パターンＰＣは、Ｈ−Ｖのやや下方に位置する点を中心とする横長の配光パターンとして形成されている。
【００８２】
この配光パターンＰＣが、Ｈ−Ｖのやや下方に位置する点を中心とする配光パターンとして形成されるのは、サブレンズ５６からリフレクタ１２４の反射面２４ａへ向けて偏向出射した発光チップ５２ａからの光の光線束内に、リフレクタユニット２０における光源２２ａの発光中心Ａが含まれており、かつ、この反射面２４ａからの反射光が、やや下向きになることによるものである。また、この配光パターンＰＣが、横長の配光パターンとして形成されるのは、発光チップ５２ａが横長矩形状の発光面を有しており、かつ、反射面２４ａからの反射光が、複数の反射素子２４ｓにより、上下方向よりも左右両側により大きく拡散することによるものである。
【００８３】
一方、配光パターンＰＤは、発光素子５２の発光チップ５２ａから出射して、サブレンズ５６を介してリフレクタ１２４の反射面１２４ｄに入射した後、この反射面１２４ｄで前方へ向けて反射した光により形成される配光パターンである。
【００８４】
この配光パターンＰＤは、Ｈ−Ｖのやや上方に位置する点を中心とするやや横長の配光パターンとして形成されている。
【００８５】
この配光パターンＰＤは、Ｈ−Ｖのやや上方に位置する点を中心とする配光パターンとして形成されるのは、リフレクタ１２４の反射面１２４ｄが、発光チップ５２ａの発光中心を第１焦点とするとともに該反射面１２４ｄの前方に位置する点を第２焦点とする回転楕円面で構成されており、この反射面１２４ｄからの反射光が、やや上向きになることによるものである。また、この配光パターンＰＤが、やや横長の配光パターンとして形成されるのは、発光チップ５２ａが横長矩形状の発光面を有していることによるものである。
【００８６】
本変形例の構成を採用することにより、リフレクタ２４の反射面２４ａで反射した発光素子５２からの光により形成される配光パターンＰＣを、中抜けの配光パターンではなく、Ｈ−Ｖ近傍の点を中心とする配光パターンして形成することが容易に可能となり、これをデイタイムランニングランプ５０の配光パターンに適したものとすることができる。
【００８７】
しかも、本変形例に係るリフレクタユニット１２０は、そのリフレクタ１２４の反射面２４ａにおけるデイタイムランニングランプ１５０の下方に位置する部分に、反射面２４ａとは異なる反射面１２４ｄが形成されているので、この反射面１２４ｄで反射した発光素子５２からの光により形成される配光パターンＰＤを、Ｈ−Ｖ近傍の点を中心とするとともに配光パターンＰＣと部分的に重複する配光パターンして形成することができ、これにより、全体としての配光パターンＰ２を、デイタイムランニングランプ５０の配光パターンとしてより好ましいものとすることができる。
【００８８】
また、このようにリフレクタ１２４の反射面２４ａにおけるデイタイムランニングランプ１５０の下方に位置する部分をデイタイムランニングランプ１５０専用の反射面１２４ｄとして利用することにより、上述したように配光パターンＰ２をより好ましい配光パターンとすることができるだけでなく、発光素子５２からの光に対する光束利用率を一層高めることができる。
【００８９】
次に、上記実施形態の第２変形例について説明する。
【００９０】
図８および９は、本変形例に係るデイタイムランニングランプ２５０が組み込まれたリフレクタユニット２０を示す、図２および３と同様の図である。
【００９１】
これらの図に示すように、本変形例に係るデイタイムランニングランプ２５０の基本的な構成は上記実施形態の場合と同様であるが、そのサブレンズ２５６の構成が上記実施形態の場合と一部異なっている。
【００９２】
なお、本変形例に係るデイタイムランニングランプ２５０およびリフレクタユニット２０において、上記実施形態に係るデイタイムランニングランプ５０およびリフレクタユニット２０と同一の部分には、同一の参照符号を付してその説明は省略する。
【００９３】
本変形例に係るデイタイムランニングランプ２５０は、そのサブレンズ２５６に、発光素子５２からの光を、少なくとも前後方向に拡散させるための表面処理が施されている。具体的には、このサブレンズ２５６は、その外周面が、シボ加工が施されたシボ加工面２５６ａとして形成されており、これにより発光素子５２からの光を全方向に僅かずつ拡散する光として出射させるようになっている。
【００９４】
本変形例の構成を採用することにより、サブレンズ２５６から偏向出射した発光素子５２からの光を、リフレクタ２４の反射面２４ａに対してより広範囲にわたって入射させることができ、これにより一層大きい発光面積を確保することができる。
【００９５】
すなわち、図９に網線で示す領域が発光領域Ｚ５として光って見えることとなる。この発光領域Ｚ５は、上記実施形態のように、サブレンズ２５６の外周面にシボ加工が施されていないとした場合の発光領域（すなわち図９に２点鎖線で境界線を示す上記実施形態の発光領域Ｚ２）に比して、より大きい発光面積を確保することができる。
【００９６】
なお、上記実施形態および変形例において諸元として示した数値は一例にすぎず、これらを適宜異なる値に設定してもよいことはもちろんである。
【図面の簡単な説明】
【００９７】
【図１】本願発明の一実施形態に係るデイタイムランニングランプが組み込まれたリフレクタユニットを備えたヘッドランプを示す正面図
【図２】上記リフレクタユニットを示す、図１のII−II線断面図
【図３】上記デイタイムランニングランプが点灯した状態にある上記リフレクタユニットを示す正面図
【図４】（ａ）は、上記デイタイムランニングランプから前方へ照射される光により、灯具前方１０ｍの位置に配置された仮想鉛直スクリーン上に形成される配光パターンを透視的に示す図、（ｂ）、（ｃ）は、上記配光パターンを構成する配光パターンをそれぞれ示す図
【図５】上記実施形態の第１変形例に係るデイタイムランニングランプが組み込まれたリフレクタユニットを示す、図２と同様の図
【図６】上記第１変形例に係るデイタイムランニングランプが組み込まれたリフレクタユニットを示す、図３と同様の図
【図７】上記第１変形例の作用を示す、図４と同様の図
【図８】上記実施形態の第２変形例に係るデイタイムランニングランプが組み込まれたリフレクタユニットを示す、図２と同様の図
【図９】上記第２変形例に係るデイタイムランニングランプが組み込まれたリフレクタユニットを示す、図３と同様の図
【符号の説明】
【００９８】
１０  ヘッドランプ
１２  ランプボディ
１４  透明カバー
２０、１２０  リフレクタユニット
２２  ハロゲンバルブ
２２ａ  光源
２４、１２４  リフレクタ
２４ａ、１２４ｄ  反射面
２４ｂ  バルブ挿着孔
２４ｃ  開口部
２４ｓ  反射素子
５０、１５０、２５０  デイタイムランニングランプ
５２  発光素子
５２ａ  発光チップ
５２ｂ  基板
５４  メインレンズ
５６、２５６  サブレンズ
５８、１５８  ヒートシンク
５８ａ  放熱フィン
２５６ａ  シボ加工面
Ａ  発光中心
Ａｘ１  第１の光軸
Ａｘ２  第２の光軸
Ｚ１、Ｚ２、Ｚ３、Ｚ４、Ｚ５  発光領域
Ｐ１、Ｐ２、ＰＡ、ＰＢ、ＰＣ、ＰＤ  配光パターン
【図１】
2009211980.tif 000003
【図２】
2009211980.tif 000004
【図３】
2009211980.tif 000005
【図４】
2009211980.tif 000006
【図５】
2009211980.tif 000007
【図６】
2009211980.tif 000008
【図７】
2009211980.tif 000009
【図８】
2009211980.tif 000010
【図９】
2009211980.tif 000011